(57)【要約】【課題】表示装置の表示画像の品質を向上させる。【解決手段】表示装置は、画素ＰＣＬ，ＰＣＲを表示する表示部ＤＰと、駆動基板、対向基板、および駆動基板と対向基板の間に挟まれた液晶層、を含むバリア部ＢＲと、を備える。また、バリア部ＢＲは、駆動基板に形成された第１電極、複数の第２電極、および液晶層により、表示部ＤＰから供給される光を透過または遮断する複数の開閉部ＢＲｓを構成する。また、複数の開閉部ＢＲｓのそれぞれは、第１方向に沿って延び、かつ、第１方向と交差する第２方向に沿って並んで配置される。また、第２方向における複数の開閉部ＢＲｓのそれぞれの幅は、第２方向におけるサブ画素ＳＰｉｘの幅よりも小さい。また、バリア部ＢＲを駆動して立体画像を表示する時に、光を透過する開状態の開閉部ＢＲｓ１と、光を遮断する閉状態の開閉部ＢＲｓ２とが、それぞれ複数個ずつ連続的に並んで配列される。【選択図】図１１
2015230442.tif 000002
【特許請求の範囲】
【請求項１】
複数のサブ画素により構成される第１視点用画像、および前記第１視点用画像とは異なる複数のサブ画素により構成される第２視点用画像を表示する表示部と、
駆動基板、前記駆動基板と対向配置される対向基板、および前記駆動基板と前記対向基板の間に挟まれた液晶層、を含むバリア部と、
を備え、
前記駆動基板は、前記バリア部の駆動時に第１の電位が供給される第１電極、および駆動時に前記第１の電位とは異なる第２の電位が供給される複数の第２電極を有し、
前記第１電極、前記複数の第２電極、および前記液晶層は、前記表示部から供給される光を透過または遮断する複数の開閉部を構成し、
前記複数の開閉部のそれぞれは、第１方向に沿って延び、かつ、前記第１方向と交差する第２方向に沿って並んで配置され、
前記複数の開閉部のそれぞれの前記第２方向における幅は、前記複数のサブ画素のそれぞれの前記第２方向における幅よりも小さく、
前記バリア部を駆動して画像を表示する時に、光を透過する開状態の第１開閉部と、光を遮断する閉状態の第２開閉部とが、それぞれ複数個ずつ連続的に並んで配列される、表示装置。
【請求項２】
請求項１に記載の表示装置であって、
前記表示装置は、前記バリア部を駆動するバリア駆動部、および前記バリア駆動部に前記バリア部の駆動を制御するバリア制御信号を伝送するバリア制御部を有し、
前記バリア制御部は、前記表示装置の内部、または外部に設けられ、観察者の位置を検出する観察者検出部から伝送される観察者の位置信号に基づいて前記バリア制御信号を生成する、表示装置。
【請求項３】
請求項２に記載の表示装置であって、
前記表示装置は、前記表示部を駆動する表示駆動部、および前記バリア部を駆動する前記バリア駆動部を有し、前記バリア駆動部は、前記表示駆動部と同期せずに動作する、表示装置。
【請求項４】
請求項１に記載の表示装置であって、
前記第１電極と前記複数の第２電極は、それぞれ異なる電極層に形成され、前記第１電極と前記複数の第２電極の間には絶縁層が配置される、表示装置。
【請求項５】
請求項４に記載の表示装置であって、
前記複数の第２電極のそれぞれは、前記第１方向に沿って延びる複数の電極線を有する、表示装置。
【請求項６】
請求項５に記載の表示装置であって、
前記複数の第２電極のそれぞれは、前記複数の電極線を連結して電気的に接続する複数の連結部を有する、表示装置。
【請求項７】
請求項６に記載の表示装置であって、
前記複数の連結部の前記第１方向における幅は、前記複数の電極線のそれぞれの前記第２方向における幅よりも大きい、表示装置。
【請求項８】
請求項７に記載の表示装置であって、
前記複数の連結部の前記第１方向における幅は、前記複数の開閉部のそれぞれの前記第２方向における幅よりも小さい、表示装置。
【請求項９】
請求項８に記載の表示装置であって、
前記複数の第２電極の各々が有する前記複数の連結部のうち、前記第１方向に沿って隣り合う連結部の離間距離は、前記連結部の前記第１方向における幅よりも大きい、表示装置。
【請求項１０】
請求項６に記載の表示装置であって、
前記バリア部が有する前記複数の第２電極のそれぞれは、前記第２方向において第１の幅を有する第１電極線と、前記第２方向において前記第１の幅よりも小さい第２の幅を有する第２電極線と、を有する、表示装置。
【請求項１１】
請求項６に記載の表示装置であって、
前記液晶層内の液晶分子の初期配向の方向と、前記複数の電極線のそれぞれの延在方向とが一致しない、表示装置。
【請求項１２】
請求項１１に記載の表示装置であって、
前記液晶分子の初期配向の方向と、前記複数の電極線のそれぞれの延在方向とが成す角度は５度以下である、表示装置。
【請求項１３】
請求項１に記載の表示装置であって、
前記バリア部は、前記駆動基板の前記液晶層との対向面の反対側に配置される第１偏光板、および前記対向基板の前記液晶層との対向面の反対側に配置される第２偏光板を有し、
平面視において、前記第１偏光板の偏光方向と前記第２偏光板の偏光方向は直交する、表示装置。
【発明の詳細な説明】
【技術分野】
【０００１】
本発明は、表示装置に関し、例えば、観察者に立体画像を認識させる表示装置に適用して有効な技術に関する。
【背景技術】
【０００２】
近年、観察者に立体画像を認識させる表示装置が普及しつつある。例えば、特開２０１３−２３５１５８号公報（特許文献１）には、表示部上に液晶バリアを配置して、専用の眼鏡を必要としない立体視表示を実現する、パララックスバリア方式の表示装置が記載されている。
【先行技術文献】
【特許文献】
【０００３】
【特許文献１】特開２０１３−２３５１５８号公報
【発明の概要】
【発明が解決しようとする課題】
【０００４】
観察者に立体画像を認識させる表示装置は、例えば、左目用画像および右目用画像など、互いに異なる複数の視点用の画像を表示する。観察者は、左目で左目用画像を、右目で右目用画像をそれぞれ視認して脳内で合成することにより、立体画像を認識することができる。
【０００５】
また、スリットを利用して、左目用画像と右目用画像とを分離するパララックスバリア方式や、レンチキュラーレンズを利用して、左目用画像と右目用画像とを分離するレンチキュラー方式などの表示装置は、観察者が専用の眼鏡を装着せずに立体画像を認識することができる。
【０００６】
ここで、パララックスバリア方式のように、視差を利用して立体画像を認識させる表示装置の場合、観察者の視点の位置に応じて最適なスリットの位置が異なる。このため、立体画像の品質を向上させるためには、観察者の視点の位置に応じて、スリットの位置を変化させる技術が必要である。また、一つの表示装置で立体画像および二次元画像を表示する場合には、表示画像の種類に応じて視差バリアのオンとオフを切り替える技術が必要である。
【０００７】
本発明の目的は、表示画像の品質を向上させる技術を提供することにある。
【課題を解決するための手段】
【０００８】
本発明の一態様である表示装置は、複数のサブ画素により構成される第１視点用画像、および前記第１視点用画像とは異なる複数のサブ画素により構成される第２視点用画像を表示する表示部を備える。また、前記表示装置は、駆動基板、前記駆動基板と対向配置される対向基板、および前記駆動基板と前記対向基板の間に挟まれた液晶層、を含むバリア部を備える。また、前記駆動基板は、前記バリア部の駆動時に第１の電位が供給される第１電極、および駆動時に前記第１の電位とは異なる第２の電位が供給される複数の第２電極を有する。また、前記第１電極、前記複数の第２電極、および前記液晶層は、前記表示部から供給される光を透過または遮断する複数の開閉部を構成する。また、前記複数の開閉部のそれぞれは、第１方向に沿って延び、かつ、前記第１方向と交差する第２方向に沿って並んで配置される。また、前記第２方向における前記複数の開閉部のそれぞれの幅は、前記第２方向における前記サブ画素の幅よりも小さい。また、前記バリア部を駆動して画像を表示する時に、光を透過する開状態の第１開閉部と、光を遮断する閉状態の第２開閉部とが、それぞれ複数個ずつ連続的に並んで配列される。
【図面の簡単な説明】
【０００９】
【図１】実施の形態の表示装置の全体構成の一例を示す説明図である。
【図２】図１に示す表示駆動部の回路ブロックの一例を表す説明図である。
【図３】図２に示す画素の構成要素であるサブ画素の構成例を示す回路図である。
【図４】図２に示す表示部の構成例であって、画素の配列の一例を示す拡大平面図である。
【図５】図２に示す表示部の構成例であって、画素の断面構造の一例を示す拡大断面図である。
【図６】図１に示すバリア部の一構成例を示すバリア部の拡大平面図である。
【図７】図６に示すバリア部のＡ１−Ａ２線に沿った拡大断面図である。
【図８】図６に示す開閉部として機能する複数の電極線の構成例を示す拡大平面図である。
【図９】パララックスバリア方式を用いて立体画像を表示する場合の動作例を模式的に示す説明図である。
【図１０】図１に示す表示装置を用いて、観察者の位置に応じてバリア部の開状態と閉状態を最適化する表示システムの構成例を模式的に示す説明図である。
【図１１】観察者の位置の変化に追従して複数の開閉部を動作させる方法の一例を模式的に示す説明図である。
【図１２】図１１に示す観察者の位置が変化した後の複数の開閉部の動作を示す説明図である。
【図１３】図７に示す開閉電極と液晶層に含まれる液晶分子の平面的な位置関係を示し、電圧が印加されていない状態の例を示す拡大平面図である。
【図１４】図１３に示す開閉電極に電圧を印加した状態の例を示す拡大平面図である。
【図１５】図７に示す液晶層に含まれる液晶分子の初期配向の方向と液晶層を挟む偏光板の偏光方向の関係を模式的に示す分解斜視図である。
【図１６】図８に示すバリア部に対する変形例を示す拡大平面図である。
【図１７】図１６に示すバリア部に対する変形例を示す拡大平面図である。
【図１８】図１６に示すバリア部に対する他の変形例を示す拡大平面図である。
【図１９】図８に示すバリア部に対する他の変形例を示す拡大平面図である。
【図２０】図１９のＡ３−Ａ４線に沿った拡大断面図である。
【図２１】図１１に対する比較例を示す説明図である。
【図２２】図１２に対する比較例を示す説明図である。
【発明を実施するための形態】
【００１０】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一または関連する符号を付して、詳細な説明を適宜省略することがある。
【００１１】
以下の実施の形態では、表示装置の例として、表示機能層である液晶層を備えた、液晶表示装置を取り上げて、詳しく説明する。
【００１２】
＜表示装置の全体構成＞
まず、表示装置の全体構成について例を挙げて説明する。図１は、本実施の形態の表示装置の全体構成の一例を示す説明図である。図１に示す表示装置ＤＳＰ１は、視差を形成するバリア部ＢＲとして液晶バリアを用いたパララックスバリア方式の表示装置である。表示装置ＤＳＰ１は、画像を表示する表示部ＤＰと、表示部ＤＰ側からの光の透過、非透過を制御するバリア部ＢＲとを有する。また、図１に示す例では、表示装置ＤＳＰ１は、液晶表示装置である。液晶表示装置である表示装置ＤＳＰ１は、表示部ＤＰおよびバリア部ＢＲに加え、表示部ＤＰの背面側から表示部ＤＰに向かって光を供給する光源であるバックライトＬＳを有する。
【００１３】
図１に示す表示装置ＤＳＰ１は、バックライトＬＳ、表示部ＤＰ、およびバリア部ＢＲが順に配置されている。バックライトＬＳから射出された光は、表示部ＤＰおよびバリア部ＢＲを介して観察者に届く構造になっている。
【００１４】
また、表示装置ＤＳＰ１は、表示部ＤＰを駆動する表示駆動部ＤＰｄを有し、表示駆動部ＤＰｄは、表示部ＤＰと電気的に接続されている。また、表示装置ＤＳＰ１は、バリア部ＢＲを駆動するバリア駆動部ＢＲｄを有し、バリア駆動部ＢＲｄは、バリア部ＢＲと電気的に接続されている。また、表示装置ＤＳＰ１は、バックライトＬＳを駆動するバックライト駆動部ＬＳｄを有し、バックライト駆動部ＬＳｄはバックライトＬＳと電気的に接続されている。
【００１５】
また、表示装置ＤＳＰ１は、表示駆動部ＤＰｄと電気的に接続され、表示駆動部ＤＰｄに映像信号Ｓｄｐ１を伝送する表示制御部ＤＰｃを有する。また、表示装置ＤＳＰ１は、バリア駆動部ＢＲｄと電気的に接続され、バリア駆動部ＢＲｄにバリア制御信号Ｓｂｒ１を伝送するバリア制御部ＢＲｃを有する。また、表示装置ＤＳＰ１は、バックライト駆動部ＬＳｄと電気的に接続され、バックライト駆動部ＬＳｄにバックライト制御信号Ｓｌｓ１を伝送するバックライト制御部ＬＳｃを有する。
【００１６】
表示駆動部ＤＰｄは、表示制御部ＤＰｃから伝送される映像信号Ｓｄｐ１に基づいて表示部ＤＰを駆動する駆動回路である。図１に示す例では、表示部ＤＰは、表示機能層として液晶層を備えた、液晶表示パネルである。液晶表示パネルは、液晶表示素子を駆動して、入射した光を変調することにより表示画像を形成する。なお、図１に対する変形例として、表示部ＤＰとして、上記透過型液晶表示パネルだけではなく、反射型の液晶表示パネルを用いてもよい。反射型の液晶表示パネルを用いる場合は、バックライトＬＳ、バックライト駆動部ＬＳｄ、およびバックライト制御部ＬＳｃは無くても良い。あるいは、反射型の液晶表示パネルを用いる場合は、バックライトではなく、フロントライトを用いてもよい。また、別の図１に対する変形例として、表示部ＤＰとして、有機ＥＬ（Ｅｌｅｃｔｒｏ  Ｌｕｍｉｎｅｓｃｅｎｃｅ）ディスプレイパネルやプラズマディスプレイパネルなどの、所謂、自発光型のディスプレイパネルを用いる場合には、バックライトＬＳ、バックライト駆動部ＬＳｄ、およびバックライト制御部ＬＳｃは無くても良い。
【００１７】
また、バックライト駆動部ＬＳｄは、バックライト制御部ＬＳｃから伝送されるバックライト制御信号Ｓｌｓ１に基づいてバックライトＬＳを駆動する駆動回路である。バックライトＬＳは、バリア部ＢＲおよび表示部ＤＰに対して面発光した光を射出する機能を有している。バックライトＬＳは、例えば、ＬＥＤ（Light Emitting Diode）や、ＣＣＦＬ（Cold Cathode Fluorescent Lamp）などを用いて構成される。
【００１８】
また、表示制御部ＤＰｃおよびバックライト制御部ＬＳｃは、映像信号源ＭＧＳと電気的に接続される。映像信号源ＭＧＳは、表示装置ＤＳＰ１に含まれていても良いし、表示装置ＤＳＰ１と電気的に接続される外部機器に形成されていても良い。
【００１９】
表示制御部ＤＰｃは、映像信号源ＭＧＳから伝送される映像信号Ｓｍｇ１に基づいて、映像信号Ｓｄｐ１を生成する。また、バックライト制御部ＬＳｃは、映像信号源ＭＧＳから伝送される映像信号Ｓｍｇ１に基づいて、バックライト制御信号Ｓｌｓ１を生成する。映像信号Ｓｄｐ１およびバックライト制御信号Ｓｌｓ１は互いに同期する。言い換えれば、映像信号Ｓｄｐ１が伝送される表示駆動部ＤＰｄと、バックライト制御信号Ｓｌｓ１が伝送されるバックライト駆動部ＬＳｄは、互いに同期して動作する。
【００２０】
また、表示装置ＤＳＰ１は、二次元画像および立体画像のどちらも表示させることが可能な表示装置である。表示部ＤＰに二次元画像を表示させる場合には、一つの視点用の映像信号Ｓｄｐ１とバックライト制御信号Ｓｌｓ１が生成され、表示駆動部ＤＰｄおよびバックライト駆動部ＬＳｄにそれぞれ伝送される。また、表示部ＤＰに立体画像を表示させる場合には、複数の視点用の映像信号Ｓｄｐ１とバックライト制御信号Ｓｌｓ１が生成され、表示駆動部ＤＰｄおよびバックライト駆動部ＬＳｄにそれぞれ伝送される。
【００２１】
また、バリア駆動部ＢＲｄは、バリア制御部ＢＲｃから伝送されるバリア制御信号Ｓｂｒ１に基づいて、バリア部ＢＲを駆動する駆動回路である。バリア部ＢＲは、入射した光を透過（開動作）させる、あるいは、遮断（閉動作）させる機構を有する開閉機構部であり、本実施の形態では、液晶を用いて開閉動作を行う、所謂、液晶バリアである。
【００２２】
また、バリア制御部ＢＲｃは、観察者の位置、詳しくは観察者の目の位置を検出する観察者検出部ＶＷＤと電気的に接続されている。観察者検出部ＶＷＤは、表示装置ＤＳＰ１に内蔵されていても良いし、表示装置ＤＳＰ１と電気的に接続される外部機器に形成されていても良い。バリア制御部ＢＲｃは、観察者検出部ＶＷＤから伝送される観察者の位置信号Ｓｖｗ１に基づいてバリア部ＢＲの駆動を制御するバリア制御信号Ｓｂｒ１を生成する。
【００２３】
ここで、本実施の形態では、バリア制御信号Ｓｂｒ１は、映像信号Ｓｄｐ１およびバックライト制御信号Ｓｌｓ１と同期しない。言い換えれば、バリア制御信号Ｓｂｒ１が伝送されるバリア駆動部ＢＲｄは、表示駆動部ＤＰｄおよびバックライト駆動部ＬＳｄとは同期せず、例えば独立して動作する。このように、バリア駆動部ＢＲｄが、表示駆動部ＤＰｄおよびバックライト駆動部ＬＳｄとは同期せずに動作することで、観察者検出部ＶＷＤから伝送される観察者の位置信号Ｓｖｗ１の変化に対するバリア駆動部ＢＲｄの応答速度を向上させることができる。
【００２４】
以下、図１に示す各部の構成について順に説明する。
【００２５】
（表示駆動部および表示部）
まず、図１に示す表示駆動部ＤＰｄおよび表示部ＤＰについて説明する。図２は、図１に示す表示駆動部の回路ブロックの一例を表す説明図である。また、図３は、図２に示す画素の構成要素であるサブ画素の構成例を示す回路図である。また、図４は、図２に示す表示部の構成例であって、画素の配列の一例を示す拡大平面図である。また、図５は、図２に示す表示部の構成例であって、画素の断面構造の一例を示す拡大断面図である。
【００２６】
表示駆動部ＤＰｄは、タイミング制御部ＤＰｔｃと、ゲートドライバＤＰｇｄと、データドライバＤＰｄｄとを備えている。タイミング制御部ＤＰｔｃは、ゲートドライバＤＰｇｄおよびデータドライバＤＰｄｄの駆動タイミングを制御する回路である。また、タイミング制御部ＤＰｔｃは、表示制御部ＤＰｃから伝送された映像信号Ｓｄｐ１に基づいて映像信号Ｓｄｐ２を生成し、データドライバＤＰｄｄへ伝送する回路である。ゲートドライバＤＰｇｄは、タイミング制御部ＤＰｔｃによるタイミング制御に従って、表示部ＤＰ内の画素Ｐｉｘを行ごとに順次選択して、線順次走査するドライバ回路である。データドライバＤＰｄｄは、映像信号Ｓｄｐ２に基づいて生成された画素信号を、表示部ＤＰの複数の画素Ｐｉｘのそれぞれに伝送するドライバ回路である。例えば、データドライバＤＰｄｄは、映像信号Ｓｄｐ２に基づいてＤ／Ａ（デジタル／アナログ）変換を行うことにより、アナログ信号である画素信号を生成し、複数の画素Ｐｉｘのそれぞれに画素信号を伝送する。
【００２７】
図２に示す複数の画素Ｐｉｘのそれぞれは、図４に一例を示すように、赤色（Ｒ）、緑色（Ｇ）、青色（Ｂ）にそれぞれ対応する３つのサブ画素ＳＰｉｘを有している。画素の一部を構成する複数のサブ画素ＳＰｉｘのそれぞれは、図３に示すように、ＴＦＴ（Thin Film Transistor）素子Ｔｒと、液晶素子ＬＣと、保持容量素子Ｃｓとを備えている。ＴＦＴ素子Ｔｒは、例えばＭＯＳ（Metal Oxide Semiconductor）型のＦＥＴ（Field Effect Transistor）により構成されるものであり、ゲートがゲート線ＧＣＬに接続され、ソースがデータ線ＳＧＬに接続され、ドレインが液晶素子ＬＣの一端と保持容量素子Ｃｓの一端に接続されている。液晶素子ＬＣは、一端がＴＦＴ素子Ｔｒのドレインに接続され、他端は接地されている。保持容量素子Ｃｓは、一端がＴＦＴ素子Ｔｒのドレインに接続され、他端は保持容量線ＣＳＬに接続されている。ゲート線ＧＣＬは図２に示すゲートドライバＤＰｇｄに接続され、データ線ＳＧＬは図２に示すデータドライバＤＰｄｄに接続されている。
【００２８】
なお、図４では、赤色（Ｒ）、緑色（Ｇ）、青色（Ｂ）にそれぞれ対応する３つのサブ画素ＳＰｉｘを有する例を示しているが、サブ画素ＳＰｉｘの色はこれに限定されない。赤色（Ｒ）、緑色（Ｇ）、青色（Ｂ）に加えて、第４の色のサブ画素ＳＰｉｘを追加してもよい。当該第４の色として、例えば白色（Ｗ）や黄色（Ｙ）が挙げられる。
【００２９】
また、図４に示すように、隣り合うサブ画素ＳＰｉｘ間には、遮光膜であるブラックマトリクスＢＭが形成されている。ブラックマトリクスＢＭは、入射した光を遮光する材料により形成され、図４に示す例では、例えば格子状に形成されている。このように隣り合うサブ画素ＳＰｉｘの間にブラックマトリクスＢＭを設けることで、表示部ＤＰでは、赤色（Ｒ）、緑色（Ｇ）、青色（Ｂ）の混色が発生し難くなる。
【００３０】
また、表示部ＤＰは、図５に示したように、表示駆動部ＤＰｄ（図１参照）の回路が形成された駆動基板ＤＴＦＳと、駆動基板ＤＴＦＳに対向する位置に配置される対向基板ＤＣＦＳとの間に、表示機能層である液晶層ＤＬＣを封止することにより形成される。駆動基板ＤＴＦＳは、基板ＤＧＳ１と、画素電極ＤＰＥと、偏光板ＤＰＬ１とを有している。基板ＤＧＳ１は、例えばガラス等から構成される可視光に対して透明な基板であり、ＴＦＴ素子Ｔｒ（図３参照）が形成されたものである。
【００３１】
この基板ＤＧＳ１上には、サブ画素ＳＰｉｘ毎に画素電極ＤＰＥが配設されている。そして、基板ＤＧＳ１の、画素電極ＤＰＥが配設された面とは反対の面には、偏光板ＤＰＬ１が貼り付けられている。対向基板ＤＣＦＳは、基板ＤＧＳ２と、対向電極ＤＣＥと、偏光板ＤＰＬ２とを有している。対向基板ＤＣＦＳは、例えばガラス等から構成され、可視光に対して透明な基板である。基板ＤＧＳ２の液晶層ＤＬＣ側の面には、図示しないカラーフィルタやブラックマトリクスが形成され、さらにその上には、対向電極ＤＣＥが各サブ画素ＳＰｉｘに共通の電極として配設されている。対向基板ＤＣＦＳの、対向電極ＤＣＥが配設された面とは反対の面には、偏光板ＤＰＬ２が貼り付けられている。偏光板ＤＰＬ１および偏光板ＤＰＬ２は、互いにクロスニコルまたはパラレルニコルとなるように貼り合わせられている。
【００３２】
（バリア駆動部およびバリア部）
次に、図１に示すバリア駆動部ＢＲｄおよびバリア部ＢＲについて説明する。図６は、図１に示すバリア部の一構成例を示すバリア部の拡大平面図である。また、図７は、図６に示すバリア部のＡ１−Ａ２線に沿った拡大断面図である。また、図８は、図６に示す開閉部として機能する複数の電極線の構成例を示す拡大平面図である。
【００３３】
なお、以下の説明において、バリア部ＢＲが可視光を透過させる状態の事を開状態と表現し、バリア部ＢＲが可視光を遮断する状態の事を閉状態と表現する。
【００３４】
本実施の形態の表示装置が備えるバリア部ＢＲは、いわゆるパララックスバリアであり、いわゆる横電界によって液晶を駆動させる横電界モードの液晶バリアにより構成されるものである。以下に、その詳細を説明する。
【００３５】
バリア部ＢＲは、図６に示したように、光を透過または遮断する複数の開閉部（液晶バリア）ＢＲｓを有している。開閉部ＢＲｓは、図６に示すＸＹ平面における一方向（図６の例では、Ｙ方向に沿った方向）に延在して設けられるとともに、Ｙ方向に直交するＸ方向において交互に配置されている。Ｘ方向における複数の開閉部ＢＲｓそれぞれの幅Ｗ１は、ほぼ等しく、図４に示すサブ画素ＳＰｉｘの幅（Ｘ方向の幅）よりも小さい値になっている。例えば、複数の開閉部ＢＲｓの幅Ｗ１は、それぞれ１２μｍ程度になっている。また、隣り合う二つの開閉部ＢＲｓの間の距離Ｐ１は、５μｍ程度になっている。
【００３６】
また、バリア部ＢＲは、図７に示したように、駆動基板ＢＴＦＳと、対向基板ＢＣＦＳとの間に、可視光の透過または遮断を制御する開閉機能層である液晶層ＢＬＣを備えたものである。このように、開閉機能層として液晶層ＢＬＣを利用するバリア部ＢＲのことを、液晶バリアと呼ぶ。
【００３７】
駆動基板ＢＴＦＳは、基板ＢＧＳ１と、電極層ＢＣＬと、絶縁層ＢＯＣ１と、電極層ＢＳＬと、配向膜ＢＰＩ１と、偏光板ＢＰＬ１とを備えている。基板ＢＧＳ１は、例えばガラス等から構成され、可視光に対して透明な基板である。そして基板ＢＧＳ１上には、図示しない平坦絶縁膜を介して電極層ＢＣＬが形成されている。電極層ＢＣＬは、例えばＩＴＯ（Indium Tin Oxide）等の透明導電膜により構成されている。電極層ＢＣＬには、複数の開閉部ＢＲｓと厚さ方向に重なる位置に透明電極ＢＣＥが形成されている。なお、図７に示す例では、複数の開閉部ＢＲｓに亘って配置される幅広の透明電極ＢＣＥが形成され、透明電極ＢＣＥに共通電位が供給される例を示している。言い換えれば、電極層ＢＣＬに形成された透明電極ＢＣＥは共通電極として利用される。ただし、図７に対する変形例としては、複数の開閉部ＢＲｓと厚さ方向に重なる位置に、それぞれ独立した透明電極が形成されていても良い。
【００３８】
また、電極層ＢＣＬの上には、電極層ＢＣＬを覆うように絶縁層ＢＯＣ１が形成されている。絶縁層ＢＯＣ１は、例えば、ＳｉＮや有機樹脂などにより構成される。絶縁層ＢＯＣ１の上には、電極層ＢＳＬが形成されている。電極層ＢＳＬは、電極層ＢＣＬと同様に、例えばＩＴＯ等の透明導電膜により構成されている。電極層ＢＳＬには、複数の開閉電極ＢＳＥが形成されている。複数の開閉電極ＢＳＥは、複数の開閉部ＢＲｓのそれぞれに対応する位置に形成されている。図７に示す例では、複数の開閉電極ＢＳＥは、複数の開閉部ＢＲｓのそれぞれと厚さ方向に重なる位置に形成されている。この複数の開閉電極ＢＳＥのそれぞれは、後述するように、細長く延びる複数の電極線ＳＥＳに一括して駆動電圧が印加され、開閉部ＢＲｓの単位でセットになって駆動される。つまり、バリア部ＢＲは、複数の電極線ＳＥＳにより構成される開閉電極ＢＳＥに選択的に駆動電圧を印加することにより、液晶層ＢＬＣの液晶配向を変化させて、可視光の透過の有無を選択的に変化させる。
【００３９】
複数の電極線ＳＥＳのそれぞれは、例えばＩＴＯ等の透明導電膜により構成することができる。あるいは、電極線ＳＥＳの幅が十分に細く、光を透過させることが可能であれば、金属材料で構成することもできる。
【００４０】
また、電極層ＢＳＬの上には、配向膜ＢＰＩ１が形成されている。駆動基板ＢＴＦＳの、これらの電極層ＢＣＬや電極層ＢＳＬなどが形成された面とは反対の面には、偏光板ＢＰＬ１が貼り付けられている。
【００４１】
対向基板ＢＣＦＳは、基板ＢＧＳ２と、配向膜ＢＰＩ２と、偏光板ＢＰＬ２とを備えている。基板ＢＧＳ２は、基板ＢＧＳ１と同様に、例えばガラス等から構成され、可視光に対して透明な基板である。この基板ＢＧＳ２の液晶層ＢＬＣ側には、配向膜ＢＰＩ２が形成されている。対向基板ＢＣＦＳの、配向膜ＢＰＩ２が形成された面とは反対の面には、偏光板ＢＰＬ２が貼り付けられている。偏光板ＢＰＬ１および偏光板ＢＰＬ２は、互いにクロスニコルになるように貼り合わせられている。図６に示すＸＹ平面を例に挙げて説明すると、例えば、偏光板ＢＰＬ１の透過軸はＸ方向に配置され、偏光板ＢＰＬ２の透過軸はＹ方向に配置されている。
【００４２】
また、液晶層ＢＬＣに配置されている液晶は、駆動基板ＢＴＦＳに平行な方向の電界（所謂、横電界）により動作する液晶である。この液晶層ＢＬＣは、ノーマリブラック動作を行うように液晶分子の初期配向の方向が設定されている。つまり、開閉部ＢＲｓは、駆動されていない状態では光を遮断する。言い換えれば、開閉部ＢＲｓを駆動する駆動回路に駆動電圧が供給されていない状態では、バリア部ＢＲに照射された光は、バリア部ＢＲによって遮光される。
【００４３】
また、図８に示したように、複数の開閉電極ＢＳＥは、開閉部ＢＲｓに対応する領域内に形成されている。また、図８に模式的に示すように、複数の開閉電極ＢＳＥのそれぞれは、バリア駆動部ＢＲｄと電気的に接続され、バリア駆動部ＢＲｄから開閉電極ＢＳＥのそれぞれに、選択的に駆動電圧が供給される。
【００４４】
また、複数の開閉電極ＢＳＥのそれぞれは、開閉部ＢＲｓの延在方向と同じ、Ｙ方向に沿って延びる複数の電極線ＳＥＳを有する。言い換えれば、複数の開閉電極ＢＳＥのそれぞれは、開閉部ＢＲｓの延在方向と同じ、Ｙ方向に沿って延びる隙間ＳＬＴが形成されている。図８に示す例では、複数の電極線ＳＥＳのそれぞれの幅は、３μｍ程度で、隣り合う電極線ＳＥＳの間の隙間ＳＬＴの幅は、２μｍ程度である。このように、開閉部ＢＲｓに対応する開閉電極ＢＳＥに隙間ＳＬＴを形成することにより、バリア部ＢＲの駆動時に、隙間ＳＬＴを介して電気力線が形成され易くなる。
【００４５】
バリア部ＢＲを駆動する際には、図７に示す透明電極ＢＣＥには、直流の共通電圧Ｖｃｏｍ（例えば０Ｖ）が印加され、複数の開閉電極ＢＳＥのうちの一部に選択的に駆動電圧が印加される。これにより、透明電極ＢＣＥと開閉電極ＢＳＥの間に電位差が生じ、この電位差に起因して電気力線が発生する。この時、開閉電極ＢＳＥの間に隙間ＳＬＴが形成されていると、電気力線が隙間ＳＬＴを通って形成される。この結果、図７に示す液晶層ＢＬＣには横電界が発生する。そして、この横電界に応じて、液晶層ＢＬＣの液晶分子の向きが変化することにより、複数の開閉部ＢＲｓのそれぞれにおける光の透過率が変化する。このようにして、開閉部ＢＲｓは開閉動作を行う。
【００４６】
この図８に示す複数の開閉部ＢＲｓは、表示装置ＤＳＰ１（図１参照）が二次元画像を表示する場合と、立体画像を表示する場合とで、異なる動作を行う。すなわち、二次元画像を表示する場合は、バリア部ＢＲにより視差を形成しなくても良い。したがって、例えば全ての開閉部ＢＲｓが開状態になるように駆動電圧を供給する。
【００４７】
一方、表示装置ＤＳＰ１が立体画像を表示する場合には、バリア部ＢＲにより視差を形成する必要がある。したがって、複数の開閉部ＢＲｓのうちの一部を開状態とし、複数の開閉部ＢＲｓのうちの他部を閉状態とするように駆動電圧を供給する。
【００４８】
＜動作および作用＞
次に、本実施の形態の表示装置ＤＳＰ１の動作および作用について説明する。
【００４９】
（全体動作概要）
まず、図１などを参照して、表示装置ＤＳＰ１の全体動作概要を説明する。表示制御部ＤＰｃおよびバックライト制御部ＬＳｃを備える制御部ＣＴＬは、外部の映像信号源ＭＧＳから伝送される映像信号Ｓｍｇ１に基づいて、バックライト駆動部ＬＳｄおよび表示駆動部ＤＰｄを制御する。また、バリア制御部ＢＲｃは、外部の観察者検出部ＶＷＤから伝送される観察者の位置信号Ｓｖｗ１に基づいて、バリア駆動部ＢＲｄを制御する。
【００５０】
バックライト駆動部ＬＳｄは、バックライト制御部ＬＳｃから伝送されるバックライト制御信号Ｓｌｓ１に基づいてバックライトＬＳを駆動する。バックライトＬＳは、面発光した光を表示部ＤＰに対して射出する。
【００５１】
また、表示駆動部ＤＰｄは、表示制御部ＤＰｃから伝送される映像信号Ｓｄｐ１に基づいて表示部ＤＰを駆動する。表示部ＤＰは、バックライトＬＳから射出された光を変調することにより表示を行う。
【００５２】
また、バリア駆動部ＢＲｄは、バリア制御部ＢＲｃから伝送されるバリア制御信号Ｓｂｒ１に基づいてバリア部ＢＲを制御する。バリア部ＢＲの複数の開閉部ＢＲｓ（図７参照）は、バリア駆動部ＢＲｄからの指示に基づいて開閉動作を行う。
【００５３】
図７に示す例では、電極層ＢＣＬに形成された透明電極ＢＣＥに第１の電位が供給され、電極層ＢＳＬに形成された複数の開閉電極ＢＳＥのうちの一部または全部に第１の電位とは異なる第２の電位が選択的に供給される。これにより、開閉電極ＢＳＥと透明電極ＢＣＥとの間に電位差が生じ、この電位差に起因して開閉動作機能層である液晶層ＢＬＣに電界が形成される。電解の向きは、電極の配置により規定され、図７に示すように、一方の基板側に透明電極ＢＣＥと開閉電極ＢＳＥとが集約して形成されている場合には、横方向、すなわち、図６に示すＸ−Ｙ平面に沿った方向の電界が形成される。そして、液晶層ＢＬＣに配置された液晶は、電界の作用により横方向に回転する。このように液晶が回転することにより、液晶層ＢＬＣにおける光の透過率が変化して、開状態と閉状態を切り替えることが可能になる。
【００５４】
例えば、図７に示す例において、ノーマリブラックモードで駆動する場合には、二次元画像を表示する際に、複数の開閉電極ＢＳＥのうちの全部に第１の電位とは異なる第２の電位が供給される。これにより、全ての開閉部ＢＲｓを開状態にすることができる。
【００５５】
また、例えば、図７に示す例において、ノーマリブラックモードで駆動する場合には、立体画像を表示する際に、複数の開閉電極ＢＳＥのうちの一部に第１の電位とは異なる第２の電位が選択的に供給される。これにより、第２の電位が供給された開閉電極ＢＳＥに対応する開閉部ＢＲｓでは、開状態になり、光が透過する。一方、第２の電位が供給されていない開閉電極ＢＳＥに対応する開閉部ＢＲｓでは、閉状態のまま維持され光が遮断される。
【００５６】
ただし、上記では、駆動電圧を供給しない時に光を遮断させる、いわゆるノーマリブラックモードでの駆動方法について説明したが、変形例としては、駆動電圧を供給しない時に光を透過させる、いわゆるノーマリホワイトモードで駆動することもできる。ノーマリホワイトモードの場合、二次元画像を表示する際には、複数の開閉電極ＢＳＥに第２の電位を供給しないことで、全ての開閉部ＢＲｓを開状態にすることができる。また、ノーマリホワイトモードの場合、立体画像を表示する際には、複数の開閉電極ＢＳＥのうちの一部に第２の電位を供給することで、第２の電位が供給された開閉電極ＢＳＥに対応する開閉部ＢＲｓを選択的に閉状態にすることができる。
【００５７】
（立体画像の表示方法の詳細）
次に、パララックスバリア方式により立体画像を表示する方法について説明する。本セクションでは、単純化のために、先に本実施の形態に対する比較例を用いてパララックスバリア方式に係る説明をし、その後、比較例と本実施の形態との相違点について詳細に説明する。
【００５８】
図９は、パララックスバリア方式を用いて立体画像を表示する場合の動作例を模式的に示す説明図である。なお、図９では、可視光が透過する開状態の部分ＳＷ１と、可視光が遮断される閉状態の部分ＳＷ２の区別を見やすくするため、部分ＳＷ２には、ドットパターンを付している。パララックスバリア方式も用いて立体画像を表示する場合には、バリア部ＢＲでは、駆動電圧を選択的に印加することにより、可視光が透過する開状態の部分ＳＷ１と、可視光が遮断される閉状態の部分ＳＷ２と、が交互に並ぶように配列される。また、表示部ＤＰは、第１視点用画像として、例えば右目用の画素ＰＣＲを表示し、かつ第１視点用画像とは異なる第２視点用画像として、例えば左目用の画素ＰＣＬを表示する。画素ＰＣＲと画素ＰＣＬは、図９に示す例では交互に並んで配列される。また、画素ＰＣＲと画素ＰＣＬのそれぞれは、図４を用いて説明した画素Ｐｉｘに対応する。すなわち、画素ＰＣＲと画素ＰＣＬのそれぞれは、図４に示す赤色（Ｒ）、緑色（Ｇ）、青色（Ｂ）にそれぞれ対応する３つのサブ画素ＳＰｉｘを有している。
【００５９】
また、バリア部ＢＲは、表示部ＤＰと観察者ＶＷの間に配置される。この時、表示部ＤＰから出力された可視光は、バリア部ＢＲの閉状態の部分ＳＷ２によって進行方向の角度が制限される。このため、観察者ＶＷは、右目で右目用の画素ＰＣＲを視認し、左目で左目用の画素ＰＣＬを視認する。また、観察者ＶＷは、右目では左目用の画素ＰＣＬを視認せず、左目では右目用の画素ＰＣＲを視認しない。このように、バリア部ＢＲにより、可視光の進行方向の角度を制限することで、観察者ＶＷは、右目と左目でそれぞれ異なる画素を視認することができる。この結果、観察者ＶＷは、左目で複数の画素ＰＣＬの集合である左目用画像を、右目で複数の画素ＰＣＲの集合である右目用画像をそれぞれ視認して脳内で合成することにより、立体画像を認識することができる。
【００６０】
次に、上記したパララックスバリア方式による立体画像の表示方法を踏まえ、本実施の形態の表示装置ＤＳＰ１が立体画像を表示する場合の駆動方法について、説明する。図１０は、図１に示す表示装置を用いて、観察者の位置に応じてバリア部の開状態と閉状態を最適化する表示システムの構成例を模式的に示す説明図である。また、図１１および図１２は、観察者の位置の変化に追従して複数の開閉部を動作させる方法の一例を模式的に示す説明図である。また、図２１および図２２は、それぞれ図１１および図１２に対する比較例を示す説明図である。なお、図１１、図１２、図２１および図２２では、複数の開閉部ＢＲｓのうち、開状態の開閉部ＢＲｓ１と閉状態の開閉部ＢＲｓ２の区別を見易くするため、開閉部ＢＲｓ２にドットパターンを付して示している。
【００６１】
本願発明者が検討した表示装置ＤＳＰ１は、図１０に模式的に示すように、一人の観察者ＶＷの位置を検出し、その観察者ＶＷの視点に応じてバリア部ＢＲの開状態と閉状態を制御して観察者ＶＷに最適な状態の立体画像を提供するものである。このように、観察者ＶＷの位置に応じてバリア部ＢＲの開状態と閉状態を制御すれば、観察者ＶＷと表示装置ＤＳＰ１との相対的な位置関係が変化するような状況であっても、観察者ＶＷに最適化された立体画像を提供できる。なお、観察者ＶＷと表示装置ＤＳＰ１との相対的な位置関係が変化する状況の例としては、例えば、自動車等の運転者に対して、交通情報や運転中の自動車の情報などを立体画像として提供する状況などが考えられる。ただし、本実施の形態で説明する表示装置ＤＳＰ１の用途が上記の状況に限定されないことは言うまでもない。
【００６２】
観察者ＶＷの位置に応じてバリア部ＢＲの開状態と閉状態を最適化する表示システムは、図１０に示すような構成により実現可能である。すなわち、観察者ＶＷの位置を測定するカメラＣＭＲなどの光学センサと観察者検出部ＶＷＤを電気的に接続し、カメラＣＭＲから出力された情報に基づいて、観察者検出部ＶＷＤによって観察者ＶＷの視点を検出する。この観察者ＶＷの検出動作は、例えば定期的に繰り返し行われ、観察者ＶＷの視点の位置が継続的に検出される。
【００６３】
また、表示装置ＤＳＰ１に内蔵されるバリア制御部ＢＲｃは、観察者検出部ＶＷＤから伝送される観察者の位置信号Ｓｖｗ１に基づいてバリア部ＢＲの駆動を制御するバリア制御信号Ｓｂｒ１を生成する。このバリア制御部ＢＲｃから出力されるバリア制御信号Ｓｂｒ１は、バリア部ＢＲの開状態と閉状態を観察者ＶＷの視点の位置に応じて最適化するための情報であって、観察者の位置信号Ｓｖｗ１が更新される度に、新たなバリア制御信号Ｓｂｒ１が生成される。
【００６４】
また、図１を用いて既に説明したように、図１に示すバリア駆動部ＢＲｄは、表示駆動部ＤＰｄおよびバックライト駆動部ＬＳｄとは同期せずに動作する。これにより、観察者検出部ＶＷＤから伝送される観察者の位置信号Ｓｖｗ１の変化に対するバリア駆動部ＢＲｄの応答速度を向上させることができる。 
【００６５】
ここで、単に二次元表示と立体表示を切り替えるような動作とは異なり、バリア部ＢＲの開状態と閉状態を観察者ＶＷの視点の位置に応じて最適化する動作の場合、図７に示す複数の開閉部ＢＲｓの開閉動作、すなわち開状態から閉状態にする動作および閉状態から開状態にする動作の実行頻度が多くなる。このため、開閉部ＢＲｓが開閉動作を行う際の画像の劣化を抑制する技術が必要であることが判った。
【００６６】
まず、図１１および図１２に対する比較例である図２１および図２２に示すように、複数の開閉部ＢＲｓが、開状態と閉状態を交互に繰り返すように配列されている場合、観察者ＶＷの位置の変化に応じて開状態と閉状態を頻繁に切り替えると、観察者ＶＷに届く光の量が低下する。
【００６７】
また、図２１および図２２に示す比較例の表示装置ＤＳＰｈの場合、観察者ＶＷの位置の変化に応じて開状態と閉状態を切り替える場合、開状態の開閉部ＢＲｓ１と閉状態のＢＲｓ２を全て動作させる必要がある。この場合、観察者ＶＷの位置の変化速度と開閉動作の応答速度の差の程度によっては、正しく追従できず、左目用の画像が観察者ＶＷの右目に到達し、右目用の画像が観察者ＶＷの左目に到達する、いわゆる逆視の状態になる懸念がある。また、切り替え動作を頻繁に行うと、観察者ＶＷには、視点の切り替えに伴って、画面がちらついて見える、フリッカー現象が認識される。
【００６８】
本願発明者は、複数の開閉部ＢＲｓの開閉動作を頻繁に行う場合に生じる上記課題について検討を行い、本実施の形態の構成を見出した。
【００６９】
すなわち、本実施の形態では、開閉部ＢＲｓの幅Ｗ１（図８参照）を図４に示すサブ画素ＳＰｉｘの幅よりも小さくして、図１１に示すように、立体画像を表示する際には、開状態の開閉部ＢＲｓ１と閉状態の開閉部ＢＲｓ２とがそれぞれ複数個ずつ連続的に並んで配列される構成になっている。連続的に並んで配置される開閉部ＢＲｓ１および開閉部ＢＲｓ２の数は、図１１に示す例には限定されないが、図１１に示す例では、５個の開閉部ＢＲｓ１と５個の開閉部ＢＲｓ２が、それぞれ連続的に配列されている。
【００７０】
ただし、本実施の形態によれば、幅の小さい複数の開閉部ＢＲｓが並んでいるので、見かけ上は、図９に示すように開状態の部分ＳＷ１と閉状態の部分ＳＷ２が交互に並んでいる状態と同様の構成になる。したがって、パララックスバリア方式により視差を形成することが可能である。
【００７１】
まず、本実施の形態のバリア部ＢＲのように、幅の小さい複数の開閉部ＢＲｓを形成し、開状態の開閉部ＢＲｓ１と閉状態の開閉部ＢＲｓ２とがそれぞれ複数個ずつ連続的に並んで配列されるようにすると、観察者ＶＷの位置の変化に追従して開状態の部分ＳＷ１（図９参照）の位置と閉状態の部分ＳＷ２の位置を細かく調整することができる。この結果、観察者ＶＷの位置の変化が速い場合でも、逆視の状態になることを抑制できる。
【００７２】
また、図１を用いて説明したように、本実施の形態では、バリア制御信号Ｓｂｒ１が伝送されるバリア駆動部ＢＲｄは、表示駆動部ＤＰｄおよびバックライト駆動部ＬＳｄとは同期せに動作する。このように、バリア駆動部ＢＲｄが、表示駆動部ＤＰｄおよびバックライト駆動部ＬＳｄとは同期せずに動作することで、観察者検出部ＶＷＤから伝送される観察者の位置信号Ｓｖｗ１の変化に対するバリア駆動部ＢＲｄの応答速度を向上させることができる。この結果、観察者ＶＷの位置の変化が速い場合でも、逆視の状態になることを抑制できる。
【００７３】
また、本実施の形態のように、幅の小さい複数の開閉部ＢＲｓを形成し、開状態の開閉部ＢＲｓ１と閉状態の開閉部ＢＲｓ２とがそれぞれ複数個ずつ連続的に並んで配列されるようにすることで、図１２に示すように観察者ＶＷの視点が移動した場合に、開閉動作させる開閉部ＢＲｓの数を低減することができる。
【００７４】
以下、観察者の位置が図１１に示す位置から図１２に示す位置に移動した場合の例を取り上げて説明する。図１１および図１２に示す例の場合、連続的に並んで配列される複数の開閉部ＢＲｓ１のうち、配列端部、すなわち、閉状態の開閉部ＢＲｓ２と隣り合って配列される開閉部Ｓ１を図１２に示すように閉状態に切り替える。また、連続的に並んで配列される複数の開閉部ＢＲｓ２のうち、配列端部、すなわち、開状態の開閉部ＢＲｓ１と隣り合って配列される開閉部Ｓ２を図１２に示すように開状態に切り替える。
【００７５】
この時、開閉部Ｓ１および開閉部Ｓ２に挟まれている他の開閉部ＢＲｓは、開閉状態を切り替えない。このため、開閉状態の切り替えに伴って観察者ＶＷに届く光の量が低下する現象を抑制できる。また、本実施の形態によれば、一括して開閉状態を切り替える開閉部ＢＲｓ２の数を低減することにより、視点の切り替えに伴うフリッカー現象を低減できる。
【００７６】
また、本願発明者の検討によれば、開閉部ＢＲｓの駆動方式によっては、開状態から閉状態に切り替える際の応答時間と、閉状態から開状態に切り替える際の応答時間の差に起因して、バリア部ＢＲ全体としての可視光透過率が低下して輝度低下が生じることが判った。
【００７７】
すなわち、例えばＴＮ（Twisted Nematic）モードや、ＶＡ（Vertical Alignment）モードなどの、いわゆる縦電界モードで、バリア部ＢＲの開閉動作を駆動する場合、電極間に印加する電圧を大きくすれば、開状態から閉状態に切り替える、第１の応答速度を早くすることができる。しかし、縦電界モードの場合、閉状態から開状態に切り替える、第２の応答速度は電圧を大きくしても早くなり難い。この結果、観察者ＶＷの位置に追従して高い頻度で開閉動作を行う場合、開閉部ＢＲｓの動作速度を向上させるために電圧を大きくすると、開状態から閉状態に切り替える際の第１の応答速度よりも、閉状態から開状態に切り替える際の第２の応答速度の方が遅い。
【００７８】
この場合、応答速度の差に起因して、開状態の開閉部ＢＲｓの数が瞬間的に小さくなる。ここで、開閉動作を行う頻度が低い場合には、応答速度の差は無視できるほど小さいが、上記したように、観察者ＶＷの位置に応じてバリア部ＢＲの開状態と閉状態を最適化する場合には、開閉動作の頻度が増加する。この結果、上記した応答速度の差に起因して、バリア部ＢＲ全体としての可視光の透過率が低下して観察者ＶＷに届く光の量が低下する。
【００７９】
画像の品質を向上させる観点からは、観察者ＶＷに届く光の量を向上させることが好ましい。そこで、本実施の形態のバリア部ＢＲは上記したように、横電界によって液晶を駆動させる横電界モードによって開閉動作を駆動する。図１３は、図７に示す開閉電極と液晶層に含まれる液晶分子の平面的な位置関係を示し、電圧が印加されていない状態の例を示す拡大平面図である。また、図１４は図１３に示す開閉電極に電圧を印加した状態の例を示す拡大平面図である。
【００８０】
図１３および図１４に示すように、横電界モードの場合、光の透過または遮断を切り替える開閉機構層である液晶層ＢＬＣに含まれる液晶分子ＬＣＭは、開閉電極ＢＳＥの形成面であるＸ−Ｙ平面に沿ってθ方向に動作する。このようにθ方向に動作する液晶分子ＬＣＭの動作速度は、閉状態から開状態に変化する際には、縦電界モードと比較して遅い。一方、θ方向に動作する液晶分子ＬＣＭの動作速度は、開状態から閉状態に変化する際には、縦電界モードと比較して早い。このため、縦電界モードと比較して、開状態から閉状態に切り替える際の第１の応答速度と、閉状態から開状態に切り替える際の第２の応答速度と、の差を低減することができる。この結果、上記した応答速度の差に起因して、バリア部ＢＲ全体としての可視光の透過率が低下することを抑制できる。
【００８１】
また、図９に示すように、バリア部ＢＲは、光が透過する部分ＳＷ１と遮光する部分ＳＷ２とを交互に配列することで、右目用の画像と左目用の画像をそれぞれ異なる視点に供給することで立体画像を認識させる。したがって、観察者ＶＷの右目と左目が並ぶ方向、すなわち、図１０に示す例では、Ｘ方向に沿って複数の開閉部ＢＲｓ（図１１参照）が配列されていることが好ましい。観察者ＶＷが表示装置ＤＳＰ１の画像を視聴時の姿勢によって、Ｘ方向の向きは異なるが、Ｘ方向が水平方向である場合が多い。
【００８２】
したがって、図６に示すように、複数の開閉部ＢＲｓのそれぞれは、Ｘ方向に対して直交するＹ方向に沿って延びていることが好ましい。ただし、開閉部ＢＲｓの延在方向は、Ｘ方向と交差する方向であれば、Ｘ方向に対して直交する方向以外であっても良い。例えば、Ｘ方向に直交するＹ方向に対して、９０度未満の角度を成す方向に延びていても良い。開閉部ＢＲｓがＸ方向に対して交差する方向に延びることで、Ｘ方向に沿って、複数の開閉部ＢＲｓが並ぶように配列することができる。
【００８３】
また、本実施の形態のように、横電界モードにより開閉部ＢＲｓを動作させるバリア部ＢＲの場合、図７に示す透明電極ＢＣＥと開閉電極ＢＳＥの間に印加される電圧に起因して発生する電気力線の数を増加させることにより、液晶の動作を安定させることができる。そこで、本実施の形態では、図８に示すように、複数の開閉電極ＢＳＥのそれぞれは、Ｙ方向に沿って延びる複数の電極線ＳＥＳに分割されている。
【００８４】
このように複数の開閉電極ＢＳＥのそれぞれを複数の電極線ＳＥＳに分割することで、隣り合う電極線ＳＥＳの間に隙間ＳＬＴが形成される。この場合、複数の電極線ＳＥＳのそれぞれに電圧を印加すると、開閉電極ＢＳＥの周囲を通る電気力線に加えて、隙間ＳＬＴを通る電気力線が形成される。つまり、本実施の形態によれば、複数の開閉電極ＢＳＥのそれぞれを複数の電極線ＳＥＳに分割することで、駆動時に形成される電気力線の数を増加させることができる。このため、光の透過または遮断を切り替える開閉機構層である液晶層ＢＬＣ（図７参照）の動作を安定化させることができる。
【００８５】
また、図１３および図１４に示すように、横電界モードで液晶分子ＬＣＭを動作させる場合、電圧印加時に光を透過させる、ノーマリブラック動作を行うように液晶分子ＬＣＭの初期配向の方向が設定されていることが好ましい。Ｘ−Ｙ平面に沿ったθ方向に液晶分子を動作させる場合、液晶分子ＬＣＭの動作量（回転量）は、印加電圧により変化するので、ノーマリホワイト動作の場合、閉状態の時に、光の漏れが発生する場合がある。立体画像を表示する場合、視差を利用して観察者ＶＷ（図９参照）に立体画像を認識させるので、閉状態の部分に光の漏れがあると、画質低下の原因になる。一方、ノーマリブラック動作の場合は、液晶分子ＬＣＭの初期配向の向きが、光を遮断する向きになっていれば、光の漏れを抑制できる。また、閉状態から開状態にする際には、液晶分子ＬＣＭが回転すれば、光を透過させることができる。上記したように液晶分子ＬＣＭの動作量（回転量）は、印加電圧により変化するが、光の透過量が最大化するように、電圧を調整すれば良い。このように閉状態の時に光の漏れを抑制し、立体画像の画質を向上させる観点から、ノーマリブラック動作を行うように液晶分子ＬＣＭの初期配向の方向が設定されていることが好ましい。
【００８６】
図１５は、図７に示す液晶層に含まれる液晶分子の初期配向の方向と液晶層を挟む偏光板の偏光方向の関係を模式的に示す分解斜視図である。なお、図１５では、見易さのため、図７に示す基板ＢＧＳ１と、基板ＢＧＳ２と、電極層ＢＣＬと、絶縁層ＢＯＣ１と、電極層ＢＳＬと、配向膜ＢＰＩ１と、配向膜ＢＰＩ２と、は図示を省略している。また、図１５では、液晶分子ＬＣＭ（図１３参照）の初期配向の方向ＬＣｄ１、偏光板ＢＰＬ１の偏光方向ＰＬｄ１、および偏光板ＢＰＬ２の偏光方向ＰＬｄ２を矢印で示している。
【００８７】
図１５に示すように、本実施の形態のバリア部ＢＲは、相対的に光源に近い側に配置される偏光板ＢＰＬ１の偏光方向ＰＬｄ１と、相対的に光源から遠い側に配置される偏光板ＢＰＬ２の偏光方向ＰＬｄ２とが直交するように配置される、いわゆるクロスニコルになっている。横電界モードで液晶分子ＬＣＭ（図１３参照）を動作させる場合、クロスニコルとなるように、配置された偏光板ＢＰＬ１と偏光板ＢＰＬ２で液晶層を挟むことで、駆動電圧を印加しない時に光を遮断する、ノーマリブラックモードでバリア部ＢＲを駆動することができる。
【００８８】
詳しくは、本実施の形態のバリア部ＢＲは、相対的に光源に近い側に配置される偏光板ＢＰＬ１の偏光方向ＰＬｄ１と液晶分子の初期配向の方向ＬＣｄ１は同じ方向であり、図１５に示す例ではＹ方向に沿っている。一方、相対的に光源から遠い側に配置される偏光板ＢＰＬ２の偏光方向ＰＬｄ２は、方向ＬＣｄ１および偏光方向ＰＬｄ１とは直交する方向であって、図１５に示す例ではＸ方向に沿っている。また、図１３に示すように、開閉部ＢＲｓを構成する開閉電極ＢＳＥの延在方向は、Ｙ方向に沿っているので、結果的に開閉電極ＢＳＥの延在方向は、図１５に示す偏光板ＢＰＬ１の偏光方向ＰＬｄ１、および液晶分子の初期配向の方向ＬＣｄ１と同じ方向である。
【００８９】
図１５に示す例のように偏光板ＢＰＬ１の偏光方向ＰＬｄ１、液晶分子の初期配向の方向ＬＣｄ１、偏光板ＢＰＬ２の偏光方向ＰＬｄ２を設定し、図１３に示すように、液晶分子の初期配向の方向ＬＣｄ１と開閉電極ＢＳＥの延在方向を揃えることにより、ノーマリブラック動作でバリア部ＢＲの開閉動作を行うことができる。
【００９０】
＜開閉電極の変形例＞
次に、図８、図１３および図１４を用いて説明した開閉電極ＢＳＥに対する変形例について説明する。
【００９１】
図１６は、図８に示すバリア部に対する変形例を示す拡大平面図である。なお、図１６では、連結部ＪＴＰと電極線ＳＥＳとの境界を明示的に示すために境界部分を実線で示している。ただし、連結部ＪＴＰと電極線ＳＥＳとは、例えば同じ導電性材料を用いて一括して形成することができる。この場合、連結部ＪＴＰと電極線ＳＥＳとの間には目視可能な境界線は形成されない。以下で説明する変形例は、連結部ＪＴＰと電極線ＳＥＳとの間に目視可能な境界線が存在しない場合を除外するものではない。
【００９２】
図１６に示すバリア部ＢＲ１は、複数の開閉電極ＢＳＥのそれぞれが、複数の電極線ＳＥＳを連結して電気的に接続する複数の連結部ＪＴＰを有している点で、図８に示すバリア部ＢＲとは相違する。
【００９３】
上記したように、複数の開閉電極ＢＳＥのそれぞれは、図６に示す開閉部ＢＲｓに対応し、Ｘ方向における開閉部ＢＲｓの幅Ｗ１は、図４に示すＸ方向におけるサブ画素ＳＰｉｘよりも小さい。したがって、図８に示すように、開閉電極ＢＳＥをさらに複数の電極線ＳＥＳに分割する場合には、個々の電極線ＳＥＳのＸ方向における幅Ｗ２は、例えば、数μｍ以下と、非常に小さくなる。また、幅Ｗ２の小さい電極線ＳＥＳをＹ方向に長く延在させる場合、電極線ＳＥＳが途中で断線する場合がある。この時、複数の電極線ＳＥＳがそれぞれ独立して形成されていると、断線した電極線ＳＥＳには、駆動電圧が印加されない。このため、図１３および図１４に示す液晶分子ＬＣＭの動作が不安定になる。
【００９４】
そこで、仮に断線した場合であっても、断線箇所を迂回して複数の電極線ＳＥＳに駆動電圧を印加する観点からは、図１６に示すバリア部ＢＲ１のように、複数の開閉電極ＢＳＥのそれぞれが、複数の電極線ＳＥＳを連結して電気的に接続する複数の連結部ＪＴＰを有していることが好ましい。これにより、バリア部ＢＲ１は、仮に、電極線ＳＥＳが断線した場合でも、安定的に開閉動作を行うことができる。
【００９５】
また、複数の電極線ＳＥＳを連結する連結部ＪＴＰを設けることにより、電極線ＳＥＳの断線を抑制する効果が期待できる。つまり、連結部ＪＴＰは複数の電極線ＳＥＳの強度を補う補強部材として機能させることができる。
【００９６】
また、連結部ＪＴＰ自体が断線することを防止する観点、あるいは、連結部ＪＴＰの補強部材としての特性を向上させる観点から、連結部ＪＴＰのＹ方向における幅Ｗ３は、ある程度大きい方が好ましい。例えば、図１６に示す例では、連結部ＪＴＰのＹ方向における幅Ｗ３は、電極線ＳＥＳのＸ方向における幅Ｗ２よりも大きい。
【００９７】
ただし、図１６に示すＸ−Ｙ平面において、連結部ＪＴＰの専有面積が増大すれば、Ｙ方向に沿って延びる隙間ＳＬＴの面積は相対的に減少する。このため、隙間ＳＬＴの面積を大きくして、隙間ＳＬＴを通る電気力線の数を増加させる観点からは、連結部ＪＴＰの幅Ｗ３は、小さい方が良い。したがって、図１６に示す例では、連結部ＪＴＰのＹ方向における幅Ｗ３は、複数の開閉電極ＢＳＥのそれぞれのＸ方向における幅Ｗ１、言い換えれば、開閉部ＢＲｓのＸ方向における幅Ｗ１よりも小さい。また、開閉電極ＢＳＥの各々に設けられる複数の連結部ＪＴＰのうち、Ｙ方向に沿って隣り合う連結部ＪＴＰの離間距離Ｐ２は、連結部ＪＴＰのＹ方向における幅Ｗ３よりも大きい。
【００９８】
図１６に示すバリア部ＢＲ１は、上記した相違点を除き、図８に示すバリア部ＢＲと同様である。したがって、重複する説明は省略する。
【００９９】
次に、図１７は、図１６に示すバリア部に対する変形例を示す拡大平面図である。図１７に示すバリア部ＢＲ２は、複数の開閉電極ＢＳＥのそれぞれが、幅の異なる複数の電極線ＳＥＳを有している点で図１６に示すバリア部ＢＲ１と相違する。詳しくは、バリア部ＢＲ２が有する複数の開閉電極ＢＳＥのそれぞれは、Ｘ方向において幅Ｗ４を有する電極線ＳＥＳ１と、Ｘ方向において幅Ｗ４よりも小さい幅Ｗ５を有する電極線ＳＥＳ２を有する。
【０１００】
バリア部ＢＲ２のように複数の開閉電極ＢＳＥのそれぞれが、相対的に幅が異なる複数の電極線ＳＥＳを有する構成にすることで、少なくとも相対的に幅が大きい電極線ＳＥＳ、すなわち、図１７に示す例では幅Ｗ４を有する電極線ＳＥＳ１は、断線する可能性が低減される。このように、断線し難い電極線ＳＥＳ１を有する場合、仮に、電極線ＳＥＳ２や電極線ＳＥＳ３が断線した場合でも、電極線ＳＥＳ１および複数の連結部ＪＴＰにより、断線箇所以外の部分は安定的に同電位に維持することができる。
【０１０１】
なお、図１７では、一例としてＸ方向に並んで配置される三本の電極線ＳＥＳのうち、中央に配置される電極線ＳＥＳ１の幅Ｗ４および電極線ＳＥＳ２の幅Ｗ５を図示し、電極線ＳＥＳ３の幅は、図示を省略している。ただし、電極線ＳＥＳ３の幅は、開閉電極ＢＳＥの幅Ｗ１および他の電極線ＳＥＳ１および電極線ＳＥＳ２の幅により規定され、図１７に示す例では、電極線ＳＥＳ２の幅Ｗ５と同じである。
【０１０２】
また、相対的に幅が大きい電極線ＳＥＳ１の配列は、図１７に示す例の他、種々の変形例がある。例えば、Ｘ方向に配列される複数の電極線ＳＥＳのうち、配列の端部に電極線ＳＥＳ１を設けても良い。
【０１０３】
図１７に示すバリア部ＢＲ２は、上記した相違点を除き、図１６に示すバリア部ＢＲ１と同様である。したがって、重複する説明は省略する。
【０１０４】
次に、図１８は、図１６に示すバリア部に対する他の変形例を示す拡大平面図である。なお、図１８では、液晶分子ＬＣＭの初期配向の方向ＬＣｄ１と、電極線ＳＥＳの延在方向ＳＥｄ１とを比較し易いように、液晶分子ＬＣＭの一部を図示し、かつ、方向ＬＣｄ１および延在方向ＳＥｄ１を矢印で示している。
【０１０５】
図１８に示すバリア部ＢＲ３は、液晶分子ＬＣＭの初期配向の方向ＬＣｄ１と、複数の電極線ＳＥＳの延在方向ＳＥｄ１とが一致しない点で、図１６に示すバリア部ＢＲ１と相違する。詳しくは、図１８に示すように液晶分子ＬＣＭの初期配向の方向ＬＣｄ１は、Ｙ方向と一致する。一方、複数の電極線ＳＥＳそれぞれの延在方向ＳＥｄ１は、Ｙ方向と一致せず、Ｙ方向に対して、９０度未満の角度で傾斜している。ただし、複数の電極線ＳＥＳのそれぞれは、連結部ＪＴＰの部分で屈曲するように形成されている。このため、開閉電極ＢＳＥ全体としては、Ｙ方向に沿って延在している。
【０１０６】
バリア部ＢＲ３のように、開閉電極ＢＳＥを構成する複数の電極線ＳＥＳのそれぞれの延在方向ＳＥｄ１を液晶分子ＬＣＭの初期配向の方向ＬＣｄ１に対して傾斜させた場合、駆動電圧が印加された時の液晶分子ＬＣＭの応答速度を向上させることができる。なお、延在方向ＳＥｄ１と方向ＬＣｄ１とが成す角度は、極端に大きくしても応答速度の向上に対する影響は小さく、５度以下程度が好ましい。
【０１０７】
＜変形例＞
上記の通り、一例である実施態様および、開閉電極の配列に係る複数の変形例について説明したが、上記実施の形態で説明した各技術は、種々の変形例において適用可能である。以下に、上記した実施の形態に対する種々の変形例のうち、上記した変形例以外について、代表的な変形例を例示的に説明する。
【０１０８】
例えば、上記実施の形態では、バリア部ＢＲ等を横電界モードに駆動する方法の一例として、図７に示すように、共通電位が供給される透明電極ＢＣＥと駆動電位が供給される開閉電極ＢＳＥが厚さ方向において別の層に形成され、透明電極ＢＣＥと開閉電極ＢＳＥの周囲にフリンジ電界を発生させる実施態様について説明した。しかし、横電界モードでバリア部を駆動する方式には他の変形例が適用できる。例えば、図１９および図２０に示すように、共通電極である透明電極ＢＣＥと開閉電極ＢＳＥとを、同層に形成するバリア部ＢＲ４に上記実施の形態で説明した技術を適用できる。
【０１０９】
図１９は図８に示すバリア部に対する他の変形例を示す拡大平面図である。また、図２０は、図１９のＡ３−Ａ４線に沿った拡大断面図である。図２０に示すように、バリア部ＢＲ４は、共通電位が供給される透明電極ＢＣＥと、駆動電位が選択的に印加される開閉電極ＢＳＥとが、電極層ＢＣＳＬに形成されている。また、図１９に示すように、透明電極ＢＣＥと開閉電極ＢＳＥは、それぞれＹ方向に沿って延びるように形成され、かつ、Ｘ方向において、離間し、かつ、隣り合うように形成される。
【０１１０】
バリア部ＢＲ４のように、共通電位用の電極と駆動電位用の電極を同層に形成した場合も、横電界モードにより駆動することができる。バリア部ＢＲ４の場合には、開閉電極ＢＳＥと透明電極ＢＣＥのセットが一つの開閉部ＢＲｓに対応する。したがって、単位面積当たりの開閉電極ＢＳＥの数を増加させて、開閉部ＢＲｓの幅を小さくする観点からは、上記実施の形態で説明した図７に示すバリア部ＢＲのように、共通電位が供給される透明電極ＢＣＥと駆動電位が選択的に供給される開閉電極ＢＳＥとは、それぞれ異なる電極層ＢＣＬ，ＢＳＬに形成する方が有利である。
【０１１１】
また上記実施の形態で説明した図１３、図１４、あるいは図１８では、液晶分子ＬＣＭとして正の誘電率異方性を有する、いわゆるポジ型液晶を使用する例を取り上げて説明したが、変形例として、負の誘電率異方性を有するネガ型液晶を使用しても良い。
【０１１２】
また例えば、上記実施の形態で説明した図１では、映像信号源ＭＧＳや観察者の目の位置を検出する観察者検出部ＶＷＤは、表示装置ＤＳＰ１の外部機器として説明したが、表示装置ＤＳＰ１の内部に組み込んでも良い。すなわち、表示装置ＤＳＰ１は、映像信号Ｓｍｇ１を伝送する映像信号源ＭＧＳを有していても良い。また、表示装置ＤＳＰ１は、観察者の目の位置を検出する観察者検出部ＶＷＤを有していても良い。さらに、表示装置ＤＳＰ１に図１０に示す観察者ＶＷの位置を測定するカメラＣＭＲなどの光学センサを組み込んでも良い。すなわち、表示装置ＤＳＰ１は、観察者ＶＷの位置を測定するカメラＣＭＲなどの光学センサを有していても良い。
【０１１３】
また例えば、上記実施の形態では、表示部の例として、液晶表示装置を取り上げて説明したが、液晶表示装置の他、有機ＥＬディスプレイやプラズマディスプレイなどの表示装置に適用することができる。
【０１１４】
有機ＥＬディスプレイパネルは、有機ＥＬ層を両側から陰極と陽極で挟んだ構造をしており、陰極と陽極に電圧を印加することで、有機ＥＬ層に電子と正孔を注入するように構成されている。有機ＥＬディスプレイパネルでは、有機ＥＬ層に注入された電子と正孔が再結合し、この再結合によるエネルギーによって、有機ＥＬ層を構成する有機分子の電子エネルギーが基底状態から励起状態に遷移し、その後、有機分子の電子エネルギーが励起状態から基底状態に戻る際に発光する。この現象を利用したディスプレイパネルが有機ＥＬディスプレイパネルである。なお、当該有機ＥＬ層には、発光層、キャリア注入層、キャリア輸送層等のうち必要な層が含まれる。
【０１１５】
また、プラズマディスプレイパネルは、密閉された画素空間に対向する電極を配置するとともに、画素空間の内部にガスが充填された構造をしており、対向する電極間に電圧を印加することにより放電を生じさせるように構成されている。そして、プラズマディスプレイパネルでは、放電によるエネルギーによって、ガスをプラズマ状態にし、プラズマ状態のガスが元の状態のガスに戻る際に発生する紫外線を、画素空間の内側に塗布されている蛍光体に照射して可視光を発生させる。この現象を利用したディスプレイパネルがプラズマディスプレイパネルである。
【０１１６】
また例えば、上記の通り開示される表示装置を他の電子機器に組み込んで電子機器の一部の機能として使用することもできる。
【０１１７】
本発明の思想の範疇において、当業者であれば、各種の変更例及び修正例に想到し得るものであり、それら変更例及び修正例についても本発明の範囲に属するものと了解される。例えば、前述の各実施形態に対して、当業者が適宜、構成要素の追加、削除若しくは設計変更を行ったもの、または、工程の追加、省略若しくは条件変更を行ったものも、本発明の要旨を備えている限り、本発明の範囲に含まれる。
【０１１８】
本発明の一態様である表示装置は、複数のサブ画素により構成される第１視点用画像、および前記第１視点用画像とは異なる複数のサブ画素により構成される第２視点用画像を表示する表示部を備える。また、前記表示装置は、駆動基板、前記駆動基板と対向配置される対向基板、および前記駆動基板と前記対向基板の間に挟まれた液晶層、を含むバリア部を備える。また、前記駆動基板は、前記バリア部の駆動時に第１の電位が供給される第１電極、および駆動時に前記第１の電位とは異なる第２の電位が供給される複数の第２電極を有する。また、前記第１電極、前記複数の第２電極、および前記液晶層は、前記表示部から供給される光を透過または遮断する複数の開閉部を構成する。また、前記複数の開閉部のそれぞれは、第１方向に沿って延び、かつ、前記第１方向と交差する第２方向に沿って並んで配置される。また、前記第２方向における前記複数の開閉部のそれぞれの幅は、前記第２方向における前記サブ画素の幅よりも小さい。また、前記バリア部を駆動して画像を表示する時に、光を透過する開状態の第１開閉部と、光を遮断する閉状態の第２開閉部とが、それぞれ複数個ずつ連続的に並んで配列される。
【０１１９】
また、他の一態様として、前記表示装置は、前記バリア部を駆動するバリア駆動部、および前記バリア駆動部に前記バリア部の駆動を制御するバリア制御信号を伝送するバリア制御部を有しても良い。また、前記バリア制御部は、前記表示装置の内部、または外部に設けられ、観察者の位置を検出する観察者検出部から伝送される観察者の位置信号に基づいて前記バリア制御信号を生成しても良い。
【０１２０】
また、他の一態様として、前記表示装置は、前記表示部を駆動する表示駆動部、および前記バリア部を駆動する前記バリア駆動部を有し、前記バリア駆動部は、前記表示駆動部と同期せずに動作しても良い。
【０１２１】
また、他の一態様として、前記第１電極と前記複数の第２電極は、それぞれ異なる電極層に形成され、前記第１電極と前記複数の第２電極の間には絶縁層が配置されても良い。
【０１２２】
また、他の一態様として、前記複数の第２電極のそれぞれは、前記第１方向に沿って延びる複数の電極線を有していても良い。
【０１２３】
また、他の一態様として、前記複数の第２電極のそれぞれは、前記複数の電極線を連結して電気的に接続する複数の連結部を有していても良い。
【０１２４】
また、他の一態様として、前記複数の連結部の前記第１方向における幅は、前記複数の電極線のそれぞれの前記第２方向における幅よりも大きくても良い。
【０１２５】
また、他の一態様として、前記複数の連結部の前記第１方向における幅は、前記複数の開閉部のそれぞれの前記第２方向における幅よりも小さくても良い。
【０１２６】
また、他の一態様として、前記複数の第２電極の各々が有する前記複数の連結部のうち、前記第１方向に沿って隣り合う連結部の離間距離は、前記連結部の前記第１方向における幅よりも大きくても良い。
【０１２７】
また、他の一態様として、前記バリア部が有する前記複数の第２電極のそれぞれは、前記第２方向において第１の幅を有する第１電極線と、前記第２方向において前記第１の幅よりも小さい第２の幅を有する第２電極線と、を有していても良い。
【０１２８】
また、他の一態様として、前記液晶層内の液晶分子の初期配向の方向と、前記複数の電極線のそれぞれの延在方向とが一致しなくても良い。
【０１２９】
また、他の一態様として、前記液晶分子の初期配向の方向と、前記複数の電極線のそれぞれの延在方向とが成す角度は５度以下であっても良い。
【０１３０】
また、他の一態様として、前記バリア部は、前記駆動基板の前記液晶層との対向面の反対側に配置される第１偏光板、および前記対向基板の前記液晶層との対向面の反対側に配置される第２偏光板を有し、平面視において、前記第１偏光板の偏光方向と前記第２偏光板の偏光方向は直交していても良い。
【産業上の利用可能性】
【０１３１】
本発明は、表示装置や表示装置が組み込まれた電子機器に利用可能である。
【符号の説明】
【０１３２】
ＢＣＥ  透明電極（共通電極）
ＢＣＦＳ  対向基板
ＢＣＬ，ＢＳＬ，ＢＣＳＬ  電極層
ＢＧＳ１，ＢＧＳ２  基板
ＢＬＣ  液晶層（開閉機能層）
ＢＭ  ブラックマトリクス（遮光膜）
ＢＯＣ１  絶縁層
ＢＰＩ１，ＢＰＩ２  配向膜
ＢＰＬ１，ＢＰＬ２  偏光板
ＢＲ，ＢＲ１，ＢＲ２，ＢＲ３，ＢＲ４  バリア部
ＢＲｃ  バリア制御部
ＢＲｄ  バリア駆動部
ＢＲｓ，ＢＲｓ１，ＢＲｓ２，Ｓ１，Ｓ２  開閉部（液晶バリア）
ＢＳＥ  開閉電極
ＢＴＦＳ  駆動基板
ＣＭＲ  カメラ（光学センサ）
Ｃｓ  保持容量素子
ＣＳＬ  保持容量線
ＣＴＬ  制御部
ＤＣＥ  対向電極
ＤＣＦＳ  対向基板
ＤＧＳ１，ＤＧＳ２  基板
ＤＬＣ  液晶層
ＤＰ  表示部
ＤＰｃ  表示制御部
ＤＰｄ  表示駆動部
ＤＰｄｄ  データドライバ
ＤＰＥ  画素電極
ＤＰｇｄ  ゲートドライバ
ＤＰＬ１，ＤＰＬ２  偏光板
ＤＰｔｃ  タイミング制御部
ＤＳＰ１，ＤＳＰｈ  表示装置
ＤＴＦＳ  駆動基板
ＧＣＬ  ゲート線
ＪＴＰ  連結部
ＬＣ  液晶素子
ＬＣｄ１  方向
ＬＣＭ  液晶分子
ＬＳ  バックライト
ＬＳｃ  バックライト制御部
ＬＳｄ  バックライト駆動部
ＭＧＳ  映像信号源
Ｐ１，Ｐ２  距離
ＰＣＬ，ＰＣＲ  画素（視点用画像）
Ｐｉｘ  画素
ＰＬｄ１，ＰＬｄ２  偏光方向
Ｓｂｒ１  バリア制御信号
Ｓｄｐ１，Ｓｄｐ２，Ｓｍｇ１  映像信号
ＳＥｄ１  延在方向
ＳＥＳ，ＳＥＳ１，ＳＥＳ２，ＳＥＳ３  電極線
ＳＧＬ  データ線
Ｓｌｓ１  バックライト制御信号
ＳＬＴ  隙間
ＳＰｉｘ  サブ画素
Ｓｖｗ１  位置信号
ＳＷ１，ＳＷ２  部分
Ｔｒ  ＴＦＴ素子
ＶＷ  観察者
ＶＷＤ  観察者検出部
Ｗ１，Ｗ２，Ｗ３，Ｗ４，Ｗ５  幅
Ｘ，Ｙ  方向
【図１】
2015230442.tif 000003
【図２】
2015230442.tif 000004
【図３】
2015230442.tif 000005
【図４】
2015230442.tif 000006
【図５】
2015230442.tif 000007
【図６】
2015230442.tif 000008
【図７】
2015230442.tif 000009
【図８】
2015230442.tif 000010
【図９】
2015230442.tif 000011
【図１０】
2015230442.tif 000012
【図１１】
2015230442.tif 000013
【図１２】
2015230442.tif 000014
【図１３】
2015230442.tif 000015
【図１４】
2015230442.tif 000016
【図１５】
2015230442.tif 000017
【図１６】
2015230442.tif 000018
【図１７】
2015230442.tif 000019
【図１８】
2015230442.tif 000020
【図１９】
2015230442.tif 000021
【図２０】
2015230442.tif 000022
【図２１】
2015230442.tif 000023
【図２２】
2015230442.tif 000024